(57)【要約】【課題】粒子感の無い光沢のある印刷結果を得ることができるようにする。【解決手段】印刷開始位置から所定の方向に移動しながら、インク・ジェット・ノズルから媒体上にインクを射出するインク・ヘッドと、上記インク・ヘッドと一体的に移動可能であって、上記媒体上に光を照射する光照射手段と、上記インク・ヘッドが上記所定の方向に移動するときに上記インク・ジェット・ノズルからインクを射出した場合には、上記インク・ヘッドが上記所定の方向と反対の方向に移動して上記印刷開始位置に復帰するときに、上記光照射手段が上記媒体上に光を照射するように上記光照射手段の点灯と消灯とを制御する制御手段とを有する。【選択図】        図４
2005199457.tif 000002
【特許請求の範囲】
【請求項１】
印刷開始位置から所定の方向に移動しながら、インク・ジェット・ノズルから媒体上にインクを射出するインク・ヘッドと、
前記インク・ヘッドと一体的に移動可能であって、前記媒体上に光を照射する光照射手段と、
前記インク・ヘッドが前記所定の方向に移動するときに前記インク・ジェット・ノズルからインクを射出した場合には、前記インク・ヘッドが前記所定の方向と反対の方向に移動して前記印刷開始位置に復帰するときに、前記光照射手段が前記媒体上に光を照射するように前記光照射手段の点灯と消灯とを制御する制御手段と
を有するインク・ジェット・プリンタ。
【請求項２】
所定の走査位置において走査方向の一方の端部から他方の端部へ向かう第１の移動方向で移動する往路と、前記他方の端部から前記一方の端部へ向かう前記第１の移動方向とは反対の方向の第２の移動方向で移動する復路とで、前記一方の端部と前記他方の端部との間を往復移動し、インク・ジェット・ノズルから媒体上にインクを射出するインク・ヘッドと、
前記インク・ヘッドと一体的に移動可能であって、前記往路において移動するときに前記インク・ヘッドの前段に位置するようにして配設され、前記媒体上に光を照射する第１の光照射手段と、
前記インク・ヘッドと一体的に移動可能であって、前記復路において移動するときに前記インク・ヘッドの前段に位置するようにして配設され、前記媒体上に光を照射する第２の光照射手段と、
前記往路においては前記第１の光照射手段が点灯するとともに前記第２の光照射手段が消灯するように制御し、前記復路においては前記第１の光照射手段が消灯するとともに前記第２の光照射手段が点灯するように制御する第１の制御が可能な制御手段と
を有するインク・ジェット・プリンタ。
【請求項３】
請求項２に記載のインク・ジェット・プリンタにおいて、さらに、
前記制御手段は、前記第１の制御と、前記往路ならびに前記復路において前記第１の光照射手段と前記第２の光照射手段とがいずれも点灯するように制御する第２の制御とを、択一的に切り換え可能なものである
インク・ジェット・プリンタ。
【請求項４】
請求項２または請求項３のいずれか１項に記載のインク・ジェット・プリンタにおいて、さらに、
前記往路において前記インク・ジェット・ノズルからインクを射出した場合には、前記往路において前記インク・ジェット・ノズルからインクを射出したときから、前記インク・ジェット・ノズルからインクを射出した前記往路の直後の前記復路において、前記往路において射出されたインクが落下した前記媒体上に前記第２の光照射手段によって光が照射されるまでの経過時間が、所定の時間以上となるように前記インク・ヘッドと前記第１の光照射手段と前記第２の光照射手段とを一体的に往復移動させ、
前記復路において前記インク・ジェット・ノズルからインクを射出した場合には、前記復路において前記インク・ジェット・ノズルからインクを射出したときから、前記インク・ジェット・ノズルからインクを射出した前記復路の直後の前記往路において、前記復路において射出されたインクが落下した前記媒体上に前記第１の光照射手段によって光が照射されるまでの経過時間が、所定の時間以上となるように前記インク・ヘッドと前記第１の光照射手段と前記第２の光照射手段とを一体的に往復移動させる移動制御手段と
を有するインク・ジェット・プリンタ。
【請求項５】
請求項２、請求項３または請求項４のいずれか１項に記載のインク・ジェット・プリンタにおいて、さらに、
前記インク・ヘッドの前記インク・ジェット・ノズルから射出されるインクはＵＶインクであり、
前記第１の光照射手段と前記第２の光照射手段とはそれぞれ紫外線ランプである
インク・ジェット・プリンタ。
【請求項６】
インク・ジェット・ノズルから媒体上にインクを射出するインク・ヘッドと前記媒体上に光を照射する光照射手段とが一体的に、所定の走査位置において媒体上を走査方向の一方の端部と他方の端部との間を往復移動しながら、インク・ジェット方式により印刷を行なう印刷方法であって、
前記走査方向の前記一方の端部から前記他方の端部へ移動する往路において前記インク・ジェット・ノズルからインクを射出した場合には、前記インク・ジェット・ノズルからインクを射出した往路の直後の前記他方の端部から前記一方の端部へ移動する復路において、前記往路において射出されたインクが落下した前記媒体上に前記光照射手段によって光を照射し、
前記復路において前記インク・ジェット・ノズルからインクを射出した場合には、前記インク・ジェット・ノズルからインクを射出した前記復路の直後の前記往路において、前記復路において射出されたインクが落下した前記媒体上に前記光照射手段によって光を照射する
ことを特徴とする印刷方法。
【請求項７】
請求項６に記載の印刷方法において、さらに、
前記往路において前記インク・ジェット・ノズルからインクを射出した場合には、前記往路において前記インク・ジェット・ノズルからインクを射出したときから、前記インク・ジェット・ノズルからインクを射出した前記往路の直後の前記復路において、前記往路において射出されたインクが落下した前記媒体上に前記光照射手段によって光が照射されるまでの経過時間が、所定の時間以上となるように前記インク・ヘッドと前記光照射手段とを一体的に往復移動させ、
前記復路において前記インク・ジェット・ノズルからインクを射出した場合には、前記復路において前記インク・ジェット・ノズルからインクを射出したときから、前記インク・ジェット・ノズルからインクを射出した前記復路の直後の前記往路において、前記復路において射出されたインクが落下した前記媒体上に前記光照射手段によって光が照射されるまでの経過時間が、所定の時間以上となるように前記インク・ヘッドと前記光照射手段とを一体的に往復移動させる
ことを特徴とする印刷方法。
【請求項８】
請求項６または請求項７のいずれか１項に記載の印刷方法において、さらに、
前記インク・ヘッドの前記インク・ジェット・ノズルから射出されるインクはＵＶインクであり、
前記光照射手段は紫外線ランプである
ことを特徴とする印刷方法。
【発明の詳細な説明】
【技術分野】
【０００１】
本発明は、インク・ジェット・プリンタおよび印刷方法に関し、さらに詳細には、数値制御により記録紙などの媒体上に印刷、例えば、高解像度でのカラー印刷などを行う際に用いて好適なインク・ジェット・プリンタおよび印刷方法に関する。
【０００２】
なお、本明細書において「媒体」とは、普通紙などの紙類よりなる各種の記録紙は勿論のこと、ＯＨＰシートあるいはＰＶＣシートなどのような各種の厚さの薄い媒体や各種の厚さの厚い媒体をも含むものとする。
【背景技術】
【０００３】
従来より、マイクロ・コンピューターによって全体の動作を制御され、給紙装置によって供給された記録紙上に記録紙の幅方向（なお、本明細書においては、当該記録紙の幅方向を、「走査方向」と適宜称することとする。）で移動するインク・ヘッドを用い、インク・ジェット方式により所定の印刷を行うにしたインク・ジェット・プリンタが知られている。
【０００４】
図１には、上記したようなインク・ジェット・プリンタの一例を示す概略構成説明図が示されており、このインク・ジェット・プリンタ１１０は、基台部材１２に支持され走査方向に延長して配設された固定系のベース部材１４と、ベース部材１４の左右両端でベース部材１４に直交して配設された側方部材１６Ｌ、１６Ｒと、側方部材１６Ｒ内に配設された６つのインク・カートリッジ１８−１〜１８−６と、６つのインク・カートリッジ１８−１〜１８−６のそれぞれから延長されたインク・チューブ（図示せず）を内部に挿通して支持する管状のインク・チューブ・ガイド２０と、左右２つの側方部材１６Ｌ、１６Ｒを連結する中央壁２２と、中央壁２２の壁面に平行して走査方向に移動自在に配設されたワイヤー２４と、ワイヤー２４に固定的に配設されたインク・ヘッド・ホルダー３０とを有して構成されている。
【０００５】
なお、こうしたインク・ジェット・プリンタ１１０の全体の動作は、マイクロ・コンピューター２００によって制御されている。
【０００６】
ここで、図２に示すように、インク・ヘッド・ホルダー３０には、走査方向と一致する方向に一列に並んで６つのインク・ヘッド３２−１〜３２−６が配設されているとともに、６つのインク・ヘッド３２−１〜３２−６のうち走査方向における最も左方側に配設されたインク・ヘッド３２−１の左方側に隣接して紫外線ランプ３４が記録紙１００に対向するようにして配設されている。
【０００７】
即ち、走査方向における左方側から、紫外線ランプ３４、インク・ヘッド３２−１、インク・ヘッド３２−２、インク・ヘッド３２−３、インク・ヘッド３２−４、インク・ヘッド３２−５、インク・ヘッド３２−６の順で、インク・ヘッド・ホルダー３０に配設されているものである。
【０００８】
そして、６つのインク・ヘッド３２−１〜３２−６にはそれぞれ、６つのインク・カートリッジ１８−１〜１８−６のそれぞれに収容された液体状のインクが、インク・チューブによって搬送されて供給されるものである。なお、６つのインクカートリッジ１８−１〜１８−６のそれぞれに収容されている液体状のインクは、所定の色彩のインクであって、紫外線で硬化するＵＶインクである。また、インク・ヘッド３２−１〜３２−６の下面には、供給されたインクを記録紙１００に対して射出する射出口として図示しないインク・ジェット・ノズルが複数個配設されている。
【０００９】
一方、紫外線ランプ３４は、インク・ヘッド３２−１〜３２−６のインク・ジェット・ノズルから射出されるＵＶインクの飛滴が落下する記録紙１００上に紫外線を照射して、記録紙１００上においてＵＶインクを硬化させるものである。
【００１０】
ここで、ワイヤー２４に固定的に配設されたインク・ヘッド・ホルダー３０は、ワイヤー２４がモーターなどの駆動装置（図示せず）によって巻き取られて走査方向に移動すると、このワイヤー２４の移動に伴って中央壁２２の壁面に沿って走査方向に移動する。
【００１１】
このため、インク・ヘッド・ホルダー３０に固定的に配設されたインク・ヘッド３２−１〜３２−６ならびに紫外線ランプ３４も、インク・ヘッド・ホルダー３０の移動に伴って記録紙１００上を走査方向に移動する。即ち、側方部材１６Ｒ側からインク・ジェット・プリンタ１１０の中央を経て側方部材１６Ｌ側へと走査方向における行き方向で移動するとともに、側方部材１６Ｌ側からインク・ジェット・プリンタ１１０の中央を経て側方部材１６Ｒ側へと走査方向における帰り方向で移動する。
【００１２】
以上の構成において、このインク・ジェット・プリンタ１１０を用いて記録紙１００上に印刷を行う場合を説明する。ワイヤー２４の巻き取りによるワイヤー２４の移動に伴って、インク・ヘッド・ホルダー３０に配設されたインク・ヘッド３２−１〜３２−６と紫外線ランプ３４とが一体的に、給紙装置（図示せず）によってベース部材１４上に供給された記録紙１００上を、走査方向における行き方向および帰り方向に往復移動する。
【００１３】
この際、走査方向における行き方向と帰り方向との双方向において往復移動するインク・ヘッド３２−１〜３２−６は、走査方向の帰り方向で側方部材１６Ｌ側から側方部材１６Ｒ側へと移動する復路においてのみ、インク・ジェット・ノズルからインク・チューブによって搬送されたＵＶインクを射出し、射出されたＵＶインクの飛滴が記録紙１００上の所定の位置に落下して、記録紙１００上の所定の位置にドットが形成され、単方向印刷により所定の印刷が行われる（図３（ａ）（ｂ）参照）。
【００１４】
こうして復路において印刷が行われる際に、インク・ジェット・プリンタ１１０においては、インク・ヘッド・ホルダー３０は走査方向における帰り方向に移動しているので、走査方向における左方側から右方側へ移動する復路の進行方向の最も後段側に紫外線ランプ３４が位置するようになる。
【００１５】
つまり、走査方向の帰り方向において移動するインク・ヘッド３２−１〜３２−６から射出されたＵＶインクの着弾に直ちに後追いするようにして、記録紙１００上に紫外線ランプ３４からの紫外線の照射がなされる。
【００１６】
その結果、走査方向の帰り方向において移動するインク・ヘッド３２−１〜３２−６のそれぞれから射出されたＵＶインクの飛滴は、記録紙１００上の所定の位置に落下すると、その後直ちに、紫外線ランプ３４からインクの飛滴が落下した記録紙１００上に照射された紫外線によって、記録紙１００上において硬化する。
【００１７】
なお、図３（ａ）（ｂ）においては、インク・ヘッド３２−１〜３２−６のそれぞれから射出されて記録紙１００上の所定の位置に落下したＵＶインクの飛滴、即ち、記録紙１００の表面１００ａにおいて硬化していない状態のＵＶインクの飛滴が白抜きで現されており、図３（ｂ）においては、紫外線が照射されて記録紙１００の表面１００ａにおいて硬化した状態のＵＶインクの飛滴が塗りつぶされて現されている。
【００１８】
こうして記録紙１００上において硬化したＵＶインクは、図３（ｂ）に示すように、インク・ヘッド３２−１〜３２−６から射出され、記録紙１００の表面１００ａに表面張力で丸く半球様に載ったままの形状で硬化している。このため、表面１００ａにおいて丸く略半球状の形状で硬化したＵＶインクによって、記録紙１００の表面１００ａの凹凸は大きく、記録紙１００の表面１００ａは物理的にざらついた状態となるので、粒子感があって光沢感のない印刷結果となる。
【００１９】
上記したように、従来のインク・ジェット・プリンタ１１０においては、粒子感があって光沢感のない印刷は可能ではあるが、粒子感の無い光沢のある印刷結果を得ることができないという問題点があった。
【００２０】
また、従来のインク・ジェット・プリンタ１１０においては、粒子感があって光沢感のない単一の印刷結果しか得られず、異なる質感の印刷結果を得ることができないという問題点があった。
【００２１】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【００２２】
本発明は、上記したような従来の技術の有する種々の問題点に鑑みてなされたものであり、その目的とするところは、粒子感の無い光沢のある印刷結果を得ることができるインク・ジェット・プリンタおよび印刷方法を提供しようとするものである。
【００２３】
また、本発明の目的とするところは、異なる質感の印刷結果を得ることができるインク・ジェット・プリンタおよび印刷方法を提供しようとするものである。
【課題を解決するための手段】
【００２４】
上記目的を達成するために、本発明のうち請求項１に記載の発明は、印刷開始位置から所定の方向に移動しながら、インク・ジェット・ノズルから媒体上にインクを射出するインク・ヘッドと、上記インク・ヘッドと一体的に移動可能であって、上記媒体上に光を照射する光照射手段と、上記インク・ヘッドが上記所定の方向に移動するときに上記インク・ジェット・ノズルからインクを射出した場合には、上記インク・ヘッドが上記所定の方向と反対の方向に移動して上記印刷開始位置に復帰するときに、上記光照射手段が上記媒体上に光を照射するように上記光照射手段の点灯と消灯とを制御する制御手段とを有するようにしたものである。
【００２５】
従って、本発明のうち請求項１に記載の発明によれば、制御手段によって光照射手段の点灯と消灯とが制御されて、インク・ヘッドが所定の方向に移動するときにインク・ジェット・ノズルからインクを射出した場合には、インク・ヘッドが反対の方向に移動して印刷開始位置に復帰するときに媒体上に光が照射されるので、インク・ジェット・ノズルからインクが射出された後直ちに媒体上に光が照射されなくなり、粒子感の無い光沢のある印刷結果を得ることができる。
【００２６】
また、本発明のうち請求項２に記載の発明は、所定の走査位置において走査方向の一方の端部から他方の端部へ向かう第１の移動方向で移動する往路と、上記他方の端部から上記一方の端部へ向かう上記第１の移動方向とは反対の方向の第２の移動方向で移動する復路とで、上記一方の端部と上記他方の端部との間を往復移動し、インク・ジェット・ノズルから媒体上にインクを射出するインク・ヘッドと、上記インク・ヘッドと一体的に移動可能であって、上記往路において移動するときに上記インク・ヘッドの前段に位置するようにして配設され、上記媒体上に光を照射する第１の光照射手段と、上記インク・ヘッドと一体的に移動可能であって、上記復路において移動するときに上記インク・ヘッドの前段に位置するようにして配設され、上記媒体上に光を照射する第２の光照射手段と、上記往路においては上記第１の光照射手段が点灯するとともに上記第２の光照射手段が消灯するように制御し、上記復路においては上記第１の光照射手段が消灯するとともに上記第２の光照射手段が点灯するように制御する第１の制御が可能な制御手段とを有するようにしたものである。
【００２７】
従って、本発明のうち請求項２に記載の発明によれば、制御手段の第１の制御によって、インク・ジェット・ノズルからインクが射出された後直ちに媒体上に光が照射されることがないので、粒子感の無い光沢のある印刷結果を得ることができる。
【００２８】
また、本発明のうち請求項３に記載の発明は、請求項２に記載の発明において、さらに、上記制御手段は、上記第１の制御と、上記往路ならびに上記復路において上記第１の光照射手段と上記第２の光照射手段とがいずれも点灯するように制御する第２の制御とを、択一的に切り換え可能なものであるようにしたものである。
【００２９】
従って、本発明のうち請求項３に記載の発明によれば、制御手段の第２の制御によって、インク・ジェット・ノズルからインクが射出された後直ちに媒体上に光が照射されるので、制御手段の第１の制御の場合とは異なる印刷結果である粒子感があって光沢感のない印刷結果が得られるようになり、異なる質感の印刷結果を得ることができる。
【００３０】
また、本発明のうち請求項４に記載の発明は、請求項２または請求項３のいずれか１項に記載の発明において、さらに、上記往路において上記インク・ジェット・ノズルからインクを射出した場合には、上記往路において上記インク・ジェット・ノズルからインクを射出したときから、上記インク・ジェット・ノズルからインクを射出した上記往路の直後の上記復路において、上記往路において射出されたインクが落下した上記媒体上に上記第２の光照射手段によって光が照射されるまでの経過時間が、所定の時間以上となるように上記インク・ヘッドと上記第１の光照射手段と上記第２の光照射手段とを一体的に往復移動させ、上記復路において上記インク・ジェット・ノズルからインクを射出した場合には、上記復路において上記インク・ジェット・ノズルからインクを射出したときから、上記インク・ジェット・ノズルからインクを射出した上記復路の直後の上記往路において、上記復路において射出されたインクが落下した上記媒体上に上記第１の光照射手段によって光が照射されるまでの経過時間が、所定の時間以上となるように上記インク・ヘッドと上記第１の光照射手段と上記第２の光照射手段とを一体的に往復移動させる移動制御手段とを有するようにしたものである。
【００３１】
また、本発明のうち請求項５に記載の発明は、請求項２、請求項３または請求項４のいずれか１項に記載の発明において、さらに、上記インク・ヘッドの上記インク・ジェット・ノズルから射出されるインクはＵＶインクであり、上記第１の光照射手段と上記第２の光照射手段とはそれぞれ紫外線ランプであるようにしたものである。
【００３２】
また、本発明のうち請求項６に記載の発明は、インク・ジェット・ノズルから媒体上にインクを射出するインク・ヘッドと上記媒体上に光を照射する光照射手段とが一体的に、所定の走査位置において媒体上を走査方向の一方の端部と他方の端部との間を往復移動しながら、インク・ジェット方式により印刷を行なう印刷方法であって、上記走査方向の上記一方の端部から上記他方の端部へ移動する往路において上記インク・ジェット・ノズルからインクを射出した場合には、上記インク・ジェット・ノズルからインクを射出した往路の直後の上記他方の端部から上記一方の端部へ移動する復路において、上記往路において射出されたインクが落下した上記媒体上に上記光照射手段によって光を照射し、上記復路において上記インク・ジェット・ノズルからインクを射出した場合には、上記インク・ジェット・ノズルからインクを射出した上記復路の直後の上記往路において、上記復路において射出されたインクが落下した上記媒体上に上記光照射手段によって光を照射するようにしたものである。
【００３３】
従って、本発明のうち請求項６に記載の発明によれば、インク・ジェット・ノズルからインクが射出された後直ちに媒体上に光が照射されることがないので、粒子感の無い光沢のある印刷結果を得ることができる。
【００３４】
また、本発明のうち請求項７に記載の発明は、請求項６に記載の発明において、さらに、上記往路において上記インク・ジェット・ノズルからインクを射出した場合には、上記往路において上記インク・ジェット・ノズルからインクを射出したときから、上記インク・ジェット・ノズルからインクを射出した上記往路の直後の上記復路において、上記往路において射出されたインクが落下した上記媒体上に上記光照射手段によって光が照射されるまでの経過時間が、所定の時間以上となるように上記インク・ヘッドと上記光照射手段とを一体的に往復移動させ、上記復路において上記インク・ジェット・ノズルからインクを射出した場合には、上記復路において上記インク・ジェット・ノズルからインクを射出したときから、上記インク・ジェット・ノズルからインクを射出した上記復路の直後の上記往路において、上記復路において射出されたインクが落下した上記媒体上に上記光照射手段によって光が照射されるまでの経過時間が、所定の時間以上となるように上記インク・ヘッドと上記光照射手段とを一体的に往復移動させるようにしたものである。
【００３５】
また、本発明のうち請求項８に記載の発明は、請求項６または請求項７のいずれか１項に記載の発明において、さらに、上記インク・ヘッドの上記インク・ジェット・ノズルから射出されるインクはＵＶインクであり、上記光照射手段は紫外線ランプであるようにしたものである。
【発明の効果】
【００３６】
本発明によるインク・ジェット・プリンタおよび印刷方法は、粒子感の無い光沢のある印刷結果を得ることができるようになるという優れた効果を奏する。
【００３７】
また、本発明によるインク・ジェット・プリンタおよび印刷方法は、異なる質感の印刷結果を得ることができるようになるという優れた効果を奏する。
【発明を実施するための最良の形態】
【００３８】
以下、添付の図面に基づいて、本発明によるインク・ジェット・プリンタおよび印刷方法の実施の形態の一例を詳細に説明するものとする。
【００３９】
図４には、本発明によるインク・ジェット・プリンタの実施の形態の一例の概略構成説明図が示されており、図５には、図４の要部を拡大的に示した説明図が示されている。
【００４０】
なお、図４乃至図５において、図１乃至図２と同一あるいは相当する構成に関しては、図１乃至図２において用いた符号を用いて示すことにより、その詳細な構成および作用の説明は省略する。
【００４１】
また、本発明によるインク・ジェット・プリンタにおいても、媒体としては、記録紙を用いるものとする。
【００４２】
ここで、本発明によるインク・ジェット・プリンタ１０と、「背景技術」の項で説明した従来のインク・ジェット・プリンタ１１０（図１乃至図２参照）とを比較すると、従来のインク・ジェット・プリンタ１１０においてはインク・ヘッド・ホルダー３０に紫外線ランプ３４が配設されていたのに対して、本発明によるインク・ジェット・プリンタ１０においては操作子群４０が配設されているとともにインク・ヘッド・ホルダー３０に第１紫外線ランプ３６ならびに第２紫外線ランプ３８が配設されている点において、両者は異なっている。
【００４３】
なお、こうしたインク・ジェット・プリンタ１０の全体の動作は、マイクロ・コンピューター２００によって制御されている。
【００４４】
そして、インク・ジェット・プリンタ１０のインク・ヘッド・ホルダー３０には、走査方向と一致する方向に一列に並んで６つのインク・ヘッド３２−１〜３２−６が配設されているとともに、６つのインク・ヘッド３２−１〜３２−６のうち走査方向における最も左方側に配設されたインク・ヘッド３２−１の左方側に隣接して第１紫外線ランプ３６が配設され、６つのインク・ヘッド３２−１〜３２−６のうち走査方向における最も右方側に配設されたインク・ヘッド３２−６の右方側に隣接して配設された第２紫外線ランプ３８が配設されている。
【００４５】
これら第１紫外線ランプ３６と第２紫外線ランプ３８とはいずれも、同一あるいは左右対照の構成を備えており、インク・ヘッド３２−１〜３２−６のインク・ジェット・ノズルから射出されるＵＶインクの飛滴が落下する記録紙１００上に紫外線を照射して、記録紙１００上においてＵＶインクを硬化させるものである。なお、第１紫外線ランプ３６と第２紫外線ランプ３８との点灯ならびに消灯はそれぞれ、マイクロ・コンピューター２００によって制御されるものである。
【００４６】
そして、第１紫外線ランプ３６ならびに第２紫外線ランプ３８は、６つのインク・ヘッド３２−１〜３２−６とともに、走査方向と一致する方向に一列に並んでインク・ヘッド・ホルダー３０に配設されている。即ち、走査方向における左方側から、第１紫外線ランプ３６、インク・ヘッド３２−１、インク・ヘッド３２−２、インク・ヘッド３２−３、インク・ヘッド３２−４、インク・ヘッド３２−５、インク・ヘッド３２−６、第２紫外線ランプ３８の順で、インク・ヘッド・ホルダー３０に配設されているものである。
【００４７】
また、インク・ヘッド・ホルダー３０に固定的に配設された第１紫外線ランプ３６ならびに第２紫外線ランプ３８はいずれも、６つのインク・ヘッド３２−１〜３２−６と一体的に、インク・ヘッド・ホルダー３０の移動に伴って記録紙上を走査方向に移動するものである。
【００４８】
より詳細には、インク・ヘッド・ホルダー３０の移動に伴って、インク・ヘッド３２−１〜３２−６、第１紫外線ランプ３６ならびに第２紫外線ランプ３８は、所定の走査位置において記録紙１００上を、側方部材１６Ｒ側の走査方向の一方の端部から、インク・ジェット・プリンタ１０の中央を経て側方部材１６Ｌ側の走査方向の他方の端部へと、走査方向における行き方向で往路において移動するとともに、側方部材１６Ｌ側の走査方向の他方の端部から、インク・ジェット・プリンタ１０の中央を経て側方部材１６Ｒ側の走査方向の一方の端部へと、走査方向における帰り方向で復路において移動する。
【００４９】
つまり、インク・ヘッド３２−１〜３２−６、第１紫外線ランプ３６ならびに第２紫外線ランプ３８は一体的に、走査方向の一方の端部と他方の端部との間を往復移動し、行き方向に移動して走査方向の他方の端部に到達したならば、その移動方向を帰り方向に変更して一方の端部まで移動し、到達した一方の端部において移動方向を再び行き方向に変更して移動するというように、往路・復路・往路・復路・・・の移動を所定の走査位置において繰り返すものである。なお、走査位置は、媒体たる記録紙１００が走査方向と直交する記録紙１００の長手方向に搬送されることによって所定の間隔で順次変化するものである。
【００５０】
そして、インク・ヘッド３２−１〜３２−６、第１紫外線ランプ３６ならびに第２紫外線ランプ３８が一体的に往路において行き方向で移動するときには、インク・ヘッド３２−１〜３２−６の前段に第１紫外線ランプ３６が位置し、インク・ヘッド３２−１〜３２−６の後段に第２紫外線ランプ３８が位置する。これに対して、インク・ヘッド３２−１〜３２−６、第１紫外線ランプ３６ならびに第２紫外線ランプ３８が一体的に復路において帰り方向で移動するときには、インク・ヘッド３２−１〜３２−６の前段に第２紫外線ランプ３８が位置し、インク・ヘッド３２−１〜３２−６の後段に第１紫外線ランプ３６が位置する。
【００５１】
また、操作子群４０は、側方部材１６Ｒに配設されており、画面上に所定のメニューを表示する表示装置や、表示装置の画面の所望の位置などを選択可能な入力装置などにより構成されており、インク・ジェット・プリンタ１０を使用するユーザーの所望の指示を入力するものである。
【００５２】
そして、操作子群４０の操作により行われた各種設定の内容は、マイクロ・コンピューター２００によって処理されて、本発明による印刷処理に用いられる情報としての所定のエリアに記憶される。
【００５３】
なお、この実施の形態においては、ユーザーが操作子群４０を操作することにより、単方向印刷と双方向印刷のいずれかを選択することができるとともに、単方向印刷と双方向印刷のいずれにおいても光沢有り印刷モードと光沢無し印刷モードのいずれかを選択して設定可能なものである。
【００５４】
以上の構成において、図６乃至図１３を参照しながら、このインク・ジェット・プリンタ１０を用いて記録紙１００上に印刷を行う場合を説明する。まず、ワイヤー２４の巻き取りによるワイヤー２４の移動に伴って、インク・ヘッド・ホルダー３０に配設されたインク・ヘッド３２−１〜３２−６と第１紫外線ランプ３６と第２紫外線ランプ３８とが一体的に、給紙装置（図示せず）によってベース部材１４上に供給された記録紙１００上を、所定の走査位置において走査方向における行き方向および帰り方向に往復移動する。
【００５５】
この際、操作子群４０を用いた各種設定に基づいたマイクロ・コンピューター２００の処理によって、インク・ヘッド３２−１〜３２−６のインク・ジェット・ノズルからのインクを射出と、第１紫外線ランプ３６ならびに第２紫外線ランプ３８のそれぞれの点灯（ＯＮ）と消灯（ＯＦＦ）とが制御されて、所定の印刷が行われる。
【００５６】
以下、インク・ジェット・プリンタ１０において操作子群４０によって設定可能な４つの場合、（ｉ）単方向印刷で光沢有り印刷モードの場合、（ｉｉ）双方向印刷で光沢有り印刷モードの場合、（ｉｉｉ）単方向印刷で光沢無し印刷モードの場合、（ｉｖ）双方向印刷で光沢無し印刷モードの場合のそれぞれについて、詳細に説明することとする。
【００５７】
（ｉ）単方向印刷で光沢有り印刷モードの場合
操作子群４０により単方向印刷で光沢有り印刷モードが設定された場合には、図６に示すマイクロ・コンピューター２００の処理によって、ステップＳ６０２→ステップＳ６０４→ステップＳ６０６と進み、単方向印刷で光沢有り印刷モードの処理がなされる。これにより、第１紫外線ランプ３６は印刷中は常時点灯するように設定されるとともに、第２紫外線ランプ３８は印刷中は常時消灯するように設定される（図７参照）。
【００５８】
そして、印刷開始位置となる走査方向の一方の端部たる側方部材１６Ｒ側から、インク・ジェット・プリンタ１０の中央を経て側方部材１６Ｌ側へと往路において行き方向で、インク・ヘッド・ホルダー３０とともにインク・ヘッド３２−１〜３２−６、第１紫外線ランプ３６、第２紫外線ランプ３８が一体的に移動するときに、インク・ジェット・ノズルからインク・チューブによって搬送されたＵＶインクが射出され、射出されたＵＶインクの飛滴が記録紙１００上の所定の位置に落下する（図８（ａ）参照）。
【００５９】
こうして往路においてＵＶインクが射出されるときには、インク・ヘッド３２−１〜３２−６の前段に位置する第１紫外線ランプ３６は点灯しており、インク・ヘッド３２−１〜３２−６の後段に位置する第２紫外線ランプ３８は消灯している（図７参照）。
【００６０】
その結果、往路において走査方向の行き方向において移動するインク・ヘッド３２−１〜３２−６のそれぞれから射出されたＵＶインクの飛滴が落下した記録紙１００上に、紫外線は照射されず、往路において射出されたＵＶインクの飛滴は、記録紙１００上の所定の位置に落下したままで、記録紙１００上において硬化することはない（図８（ａ）に示す状態参照）。
【００６１】
なお、図８以降に示す図１０、図１１ならびに図１３においては、インク・ヘッド３２−１〜３２−６のそれぞれから射出されて記録紙１００上の所定の位置に落下したＵＶインクの飛滴、即ち、記録紙１００の表面１００ａにおいて硬化していない状態のＵＶインクが白抜きで現されており（例えば、図８（ａ）（ｂ）（ｃ）参照）、紫外線が照射されて記録紙１００の表面１００ａにおいて硬化した状態のＵＶインクが塗りつぶされて現されている（例えば、図８（ｃ）参照）。
【００６２】
そして、往路において走査方向における行き方向で移動するインク・ヘッド・ホルダー３０が、側方部材１６Ｌ側の走査方向の他方の端部に到達したならば、その移動方向を帰り方向に変更する（図８（ｂ）参照）。こうして側方部材１６Ｌ側からインク・ジェット・プリンタ１０の中央を経て側方部材１１６Ｒ側へと復路において帰り方向で、インク・ヘッド・ホルダー３０とともにインク・ヘッド３２−１〜３２−６、第１紫外線ランプ３６、第２紫外線ランプ３８が一体的に移動するときには、インク・ジェット・ノズルからＵＶインクは射出されない（図８（ｃ）参照）。
【００６３】
こうして復路においてＵＶインクが射出されないときには、インク・ヘッド３２−１〜３２−６の前段に位置する第２紫外線ランプ３８は消灯しており、インク・ヘッド３２−１〜３２−６の後段に位置する第１紫外線ランプ３６は点灯している（図７参照）。
【００６４】
その結果、往路において走査方向の行き方向において移動するインク・ヘッド３２−１〜３２−６のそれぞれから射出されたＵＶインクの飛滴が落下した記録紙１００上に、復路において帰り方向で移動する第１紫外線ランプ３６から紫外線が照射されて、往路において射出されたＵＶインクの飛滴が記録紙１００上において硬化する（図８（ｃ）に示す状態参照）。
【００６５】
こうして、互いに一体的に移動するインク・ヘッド３２−１〜３２−６、第１紫外線ランプ３６ならびに第２紫外線ランプ３８が、印刷開始位置たる走査方向の一方の端部から行き方向に移動して他方の端部に到達し、行き方向とは反対の帰り方向に移動して印刷開始位置に復帰するときに、インク・ジェット・ノズルからＵＶインクを射出した往路（図８（ａ）参照）の直後の復路（図８（ｃ）参照）において、往路において射出されたＵＶインクが落下した記録紙１００上に第１紫外線ランプ３６によって紫外線が照射される。
【００６６】
ここで、インク・ヘッド３２−１〜３２−６、第１紫外線ランプ３６ならびに第２紫外線ランプ３８が一体的に、走査方向の一方の端部から行き方向で移動して側方部材１６Ｌ側に到達し、その移動方向を変えて帰り方向で移動する往復移動によって、行き方向に移動するインク・ヘッド３２−１〜３２−６から往路においてＵＶインクを射出したときから、そのインクの飛滴が落下した記録紙１００上に復路において紫外線が照射されるまでの間には、所定の時間ｔが経過している。
【００６７】
例えば、インク・ジェット・プリンタ１０の走査方向における全長（即ち、走査方向の一方の端部と他方の端部との間の距離）がおよそ１ｍで、インク・ヘッド・ホルダー３０がおよそ５００ｍｍ／ｓｅｃで走査方向に移動する場合には、この所定の時間ｔはおよそ２秒となる。
【００６８】
このため、この所定の時間ｔの間に、ＵＶインクが記録紙１００上の所定の位置に落下したときの形状、即ち、記録紙１００の表面１００ａに表面張力で丸く半球様に載ったままの形状のＵＶインクが次第に拡散してしまう（図８（ｂ）参照）。
【００６９】
その結果、復路において第１紫外線ランプ３６から照射された紫外線によって記録紙１００上において硬化したＵＶインクは、図８（ｃ）に示すように、記録紙１００上の所定の位置に落下したインクの飛滴が広がって互いに繋がった形状で硬化している。このため、表面１００ａにおいて互いに繋がり平たい形状で硬化したＵＶインクによって、記録紙１００の表面１００ａの凹凸は小さく、記録紙１００の表面１００ａは平滑な状態となるので、粒子感が無くなり光沢のある印刷結果となる。
【００７０】
（ｉｉ）双方向印刷で光沢有り印刷モードの場合
操作子群４０により双方向印刷で光沢有り印刷モードが設定された場合には、図６に示すマイクロ・コンピューター２００の処理によって、ステップＳ６０２→ステップＳ６１０→ステップＳ６１２と進み、双方向印刷で光沢有り印刷モードの処理がなされる。これにより、第１紫外線ランプ３６は往路においては点灯し、復路においては消灯するように設定されるとともに、第２紫外線ランプ３８は往路においては消灯し、復路においては点灯するように設定される（図９参照）。
【００７１】
そして、印刷開始位置となる走査方向の一方の端部たる側方部材１６Ｒ側から、インク・ジェット・プリンタ１０の中央を経て側方部材１６Ｌ側へと往路において行き方向で、インク・ヘッド・ホルダー３０とともにインク・ヘッド３２−１〜３２−６、第１紫外線ランプ３６、第２紫外線ランプ３８が一体的に移動するときに、インク・ジェット・ノズルからインク・チューブによって搬送されたＵＶインクが射出され、射出されたＵＶインクの飛滴が記録紙１００上の所定の位置に落下する（図１０（ａ）参照）。
【００７２】
こうして往路においてＵＶインクが射出されるときには、インク・ヘッド３２−１〜３２−６の前段に位置する第１紫外線ランプ３６は点灯しており、インク・ヘッド３２−１〜３２−６の後段に位置する第２紫外線ランプ３８は消灯している（図９参照）。
【００７３】
その結果、往路において走査方向の行き方向において移動するインク・ヘッド３２−１〜３２−６のそれぞれから射出されたＵＶインクの飛滴が落下した記録紙１００上に、紫外線は照射されず、往路において射出されたＵＶインクの飛滴は、記録紙１００上の所定の位置に落下したままで、記録紙１００上において硬化することはない（図１０（ａ）に示す状態参照）。
【００７４】
そして、往路において走査方向における行き方向で移動するインク・ヘッド・ホルダー３０が、側方部材１６Ｌ側の走査方向の他方の端部に到達したならば、その移動方向を帰り方向に変更する（図１０（ｂ）参照）。この際、往路において点灯していた第１紫外線ランプ３６を消灯させ、往路において消灯していた第２紫外線ランプ３８を点灯させる。
【００７５】
その後、側方部材１６Ｌ側からインク・ジェット・プリンタ１０の中央を経て側方部材１６Ｒ側へと復路において帰り方向で、インク・ヘッド・ホルダー３０とともにインク・ヘッド３２−１〜３２−６、第１紫外線ランプ３６、第２紫外線ランプ３８が一体的に移動するときに、インク・ジェット・ノズルからインク・チューブによって搬送されたＵＶインクが射出され、射出されたＵＶインクの飛滴が記録紙１００上の所定の位置に落下する（図１０（ｃ）参照）。
【００７６】
こうして復路においてＵＶインクが射出されるときには、インク・ヘッド３２−１〜３２−６の前段に位置する第２紫外線ランプ３８は点灯しており、インク・ヘッド３２−１〜３２−６の後段に位置する第１紫外線ランプ３６は消灯している（図９参照）。
【００７７】
その結果、往路において走査方向の行き方向において移動するインク・ヘッド３２−１〜３２−６のそれぞれから射出されたＵＶインクの飛滴が落下した記録紙１００上に、復路において帰り方向で移動する第２紫外線ランプ３８から紫外線が照射されて、往路において射出されたＵＶインクの飛滴が記録紙１００上において硬化する。
【００７８】
一方、復路において走査方向の帰り方向において移動するインク・ヘッド３２−１〜３２−６のそれぞれから射出されたＵＶインクの飛滴が落下した記録紙１００上には、インク・ヘッド３２−１〜３２−６の後段に位置する第１紫外線ランプ３６が消灯しているので、紫外線は照射されず、復路において射出されたＵＶインクの飛滴は、記録紙１００上の所定の位置に落下したままで、記録紙１００上において硬化することはない（図１０（ｃ）に示す状態参照）。
【００７９】
こうして、互いに一体的に移動するインク・ヘッド３２−１〜３２−６、第１紫外線ランプ３６ならびに第２紫外線ランプ３８が、印刷開始位置たる走査方向の一方の端部から行き方向に移動して他方の端部に到達し、行き方向とは反対の帰り方向に移動して印刷開始位置に復帰するときに、インク・ジェット・ノズルからＵＶインクを射出した往路（図１０（ａ）参照）の直後の復路（図１０（ｃ）参照）において、往路において射出されたＵＶインクが落下した記録紙１００上に第２紫外線ランプ３８によって紫外線が照射される。
【００８０】
ここで、上記した（ｉ）単方向印刷で光沢有り印刷モードの場合と同様に、インク・ヘッド３２−１〜３２−６、第１紫外線ランプ３６ならびに第２紫外線ランプ３８が一体的に往復移動することによって、行き方向に移動するインク・ヘッド３２−１〜３２−６から往路においてＵＶインクを射出したときから、そのインクの飛滴が落下した記録紙１００上に復路において紫外線が照射されるまでの間には、所定の時間ｔが経過している。
【００８１】
その結果、この所定の時間ｔの間に、記録紙１００の表面１００ａに表面張力で丸く半球様に載ったままの形状のＵＶインクが次第に拡散して（図１０（ｂ）参照）、復路において第２紫外線ランプ３８から照射された紫外線によって記録紙１００上において硬化したＵＶインクは、図１０（ｃ）に示すように、記録紙１００上の所定の位置に落下したインクの飛滴が互いに繋がり平たい形状で硬化している。
【００８２】
そして、復路において走査方向における帰り方向で移動するインク・ヘッド・ホルダー３０が、側方部材１６Ｒ側の走査方向の一方の端部に到達して印刷開始位置に復帰したならば、その移動方向を行き方向に変更する（図１１（ａ）参照）。この際、復路において点灯していた第２紫外線ランプ３８を消灯させ、復路において消灯していた第１紫外線ランプ３６を点灯させる。
【００８３】
その後、側方部材１６Ｒ側からインク・ジェット・プリンタ１０の中央を経て側方部材１６Ｌ側へと往路において行き方向で、インク・ヘッド・ホルダー３０とともにインク・ヘッド３２−１〜３２−６、第１紫外線ランプ３６、第２紫外線ランプ３８が一体的に移動する（図１１（ｂ）参照）。
【００８４】
こうした往復移動により、帰り方向に移動するインク・ヘッド３２−１〜３２−６から復路においてＵＶインクを射出したとき（図１０（ｃ）参照）から、そのインクの飛滴が落下した記録紙１００上に往路において紫外線が照射されるまで（図１１（ｂ）参照）の間には、所定の時間ｔ’が経過している。
【００８５】
なお、この所定の時間ｔ’と、行き方向に移動するインク・ヘッド３２−１〜３２−６から往路においてＵＶインクを射出したとき（図１０（ａ）参照）から、そのインクの飛滴が落下した記録紙１００上に復路において紫外線が照射されるまで（図１０（ｃ）参照）の間に経過する所定の時間ｔとの関係は、走査方向における位置に応じて異なるものであり、所定の時間ｔ’＝所定の時間ｔ、所定の時間ｔ’＞所定の時間ｔ、所定の時間ｔ’＜所定の時間ｔとなる場合がある。
【００８６】
そして、インク・ジェット・ノズルからＵＶインクを射出した復路（図１０（ｃ）参照）の直後の往路（図１１（ｂ）参照）において、復路において射出されたＵＶインクが落下した記録紙１００上に第１紫外線ランプ３６によって紫外線が照射され、復路において射出されたＵＶインクの飛滴は、図１１（ｂ）に示すように、広がって互いに繋がった形状で硬化する。
【００８７】
このように記録紙１００の表面１００ａにおいて拡散して互いに繋がり平たい形状で硬化したＵＶインクによって、記録紙１００の表面１００ａの凹凸は小さく、記録紙１００の表面１００ａは平滑な状態となるので、粒子感が無くなり光沢のある印刷結果となる。
【００８８】
（ｉｉｉ）単方向印刷で光沢無し印刷モードの場合
操作子群４０により単方向印刷で光沢無し印刷モードが設定された場合には、図６に示すマイクロ・コンピューター２００の処理によって、ステップＳ６０２→ステップＳ６０４→ステップＳ６０８と進み、単方向印刷で光沢無し印刷モードの処理がなされる。これにより、第１紫外線ランプ３６は印刷中は常時消灯するように設定されるとともに、第２紫外線ランプ３８は印刷中は常時点灯するように設定される（図１２（ａ）参照）。このような第１紫外線ランプ３６ならびに第２紫外線ランプ３８の点灯／消灯の制御は、上記した（ｉ）単方向印刷で光沢有り印刷モードの場合における処理（図６のステップＳ６０６ならびに図７参照）の制御とは正反対なものになっている。
【００８９】
そして、印刷開始位置となる走査方向の一方の端部たる側方部材１６Ｒ側から、インク・ジェット・プリンタ１０の中央を経て側方部材１６Ｌ側へと往路において行き方向で、インク・ヘッド・ホルダー３０とともにインク・ヘッド３２−１〜３２−６、第１紫外線ランプ３６、第２紫外線ランプ３８が一体的に移動するときに、インク・ジェット・ノズルからインク・チューブによって搬送されたＵＶインクが射出され、射出されたＵＶインクの飛滴が記録紙１００上の所定の位置に落下する（図１３（ａ）参照）。
【００９０】
こうして往路においてＵＶインクが射出されるときには、インク・ヘッド３２−１〜３２−６の前段に位置する第１紫外線ランプ３６は消灯しており、インク・ヘッド３２−１〜３２−６の後段に位置する第２紫外線ランプ３８は点灯している（図１２（ａ）参照）。
【００９１】
その結果、往路において走査方向の行き方向において移動するインク・ヘッド３２−１〜３２−６のそれぞれから射出されたＵＶインクの飛滴が落下した記録紙１００上に、往路において行き方向で移動する第２紫外線ランプ３８から紫外線が照射されて、往路において射出されたＵＶインクの飛滴が記録紙１００上において硬化する（図１３（ｂ）に示す状態参照）。
【００９２】
ここで、往路において走査方向の行き方向において移動するインク・ヘッド３２−１〜３２−６のそれぞれから射出されたＵＶインクの飛滴が落下した記録紙１００上には、その後直ちに、インク・ヘッド３２−１〜３２−６の後段に位置する第２紫外線ランプ３８から紫外線が照射されることになる。
【００９３】
即ち、上記した（ｉ）単方向印刷で光沢有り印刷モードの場合や（ｉｉ）双方向印刷で光沢有り印刷モードの場合において、往路においてＵＶインクを射出したときから復路において紫外線が照射されるまでの間や、復路においてＵＶインクを射出したときから往路において紫外線が照射されるまでの間に経過する所定の時間ｔ、ｔ’に比べて、非常に短い時間しか経過していないうちに、光沢無し印刷モードの場合には、往路においてＵＶインクが射出したならば、その同一の往路において紫外線が照射される。
【００９４】
その結果、往路において第２紫外線ランプ３８から照射された紫外線によって記録紙１００上において硬化したＵＶインクは、図１３（ｂ）に示すように、インク・ヘッド３２−１〜３２−６から射出され記録紙１００の表面１００ａに表面張力で丸く半球様に載ったままの形状で硬化している。このため、表面１００ａにおいて丸く略半球状の形状で硬化したＵＶインクによって、記録紙１００の表面１００ａの凹凸は大きく、記録紙１００の表面１００ａは物理的にざらついた状態となるので、粒子感があって光沢感のない印刷結果となる。
【００９５】
（ｉｖ）双方向印刷で光沢無し印刷モードの場合
操作子群４０により双方向印刷で光沢無し印刷モードが設定された場合には、図６に示すマイクロ・コンピューター２００の処理によって、ステップＳ６０２→ステップＳ６１０→ステップＳ６１４と進み、双方向印刷で光沢無し印刷モードの処理がなされる。これにより、第１紫外線ランプ３６は往路においては消灯し、復路においては点灯するように設定されるとともに、第２紫外線ランプ３８は往路においては点灯し、復路においては消灯するように設定される（図１２（ｂ）参照）。このような第１紫外線ランプ３６ならびに第２紫外線ランプ３８の点灯／消灯の制御は、上記した（ｉｉ）双方向印刷で光沢有り印刷モードの場合における処理（図６のステップＳ６１２ならびに図９参照）の制御とは正反対なものになっている。
【００９６】
そして、印刷開始位置となる走査方向の一方の端部たる側方部材１６Ｒ側から、インク・ジェット・プリンタ１０の中央を経て側方部材１６Ｌ側へと往路において行き方向で、インク・ヘッド・ホルダー３０とともにインク・ヘッド３２−１〜３２−６、第１紫外線ランプ３６、第２紫外線ランプ３８が一体的に移動して、往路においてＵＶインクが射出されるときには、インク・ヘッド３２−１〜３２−６の前段に位置する第１紫外線ランプ３６は消灯しており、インク・ヘッド３２−１〜３２−６の後段に位置する第２紫外線ランプ３８は点灯している（図１２（ａ）参照）。
【００９７】
その結果、往路において走査方向の行き方向において移動するインク・ヘッド３２−１〜３２−６のそれぞれから射出されたＵＶインクの飛滴が落下した記録紙１００上には、その後直ちに、インク・ヘッド３２−１〜３２−６の後段に位置する第２紫外線ランプ３８から紫外線が照射されることになる。
【００９８】
即ち、往路においてＵＶインクを射出したならば、非常に短い時間しか経過していないうちに、その同一の往路において紫外線が照射され、インク・ヘッド３２−１〜３２−６から射出され記録紙１００の表面１００ａに表面張力で丸く半球様に載ったままの形状でＵＶインクが硬化する。
【００９９】
一方、側方部材１６Ｌ側からインク・ジェット・プリンタ１０の中央を経て側方部材１６Ｒ側へと復路において帰り方向で、インク・ヘッド・ホルダー３０とともにインク・ヘッド３２−１〜３２−６、第１紫外線ランプ３６、第２紫外線ランプ３８が一体的に移動して、復路においてＵＶインクが射出されるときには、インク・ヘッド３２−１〜３２−６の前段に位置する第２紫外線ランプ３８は消灯しており、インク・ヘッド３２−１〜３２−６の後段に位置する第１紫外線ランプ３６は点灯している（図１２（ａ）参照）。
【０１００】
その結果、復路において走査方向の帰り方向において移動するインク・ヘッド３２−１〜３２−６のそれぞれから射出されたＵＶインクの飛滴が落下した記録紙１００上には、その後直ちに、インク・ヘッド３２−１〜３２−６の後段に位置する第１紫外線ランプ３６から紫外線が照射されることになる。
【０１０１】
即ち、復路においてＵＶインクをしたならば、非常に短い時間しか経過していないうちに、その同一の復路において紫外線が照射され、インク・ヘッド３２−１〜３２−６から射出され記録紙１００の表面１００ａに表面張力で丸く半球様に載ったままの形状でＵＶインクが硬化する。
【０１０２】
このため、往路と復路との双方向印刷により、表面１００ａにおいて丸く略半球状の形状で硬化したＵＶインクによって、記録紙１００の表面１００ａの凹凸は大きく、記録紙１００の表面１００ａは物理的にざらついた状態となるので、粒子感があって光沢感のない印刷結果となる。
【０１０３】
上記したようにして、本発明によるインク・ジェット・プリンタ１０においては、（ｉ）単方向印刷で光沢有り印刷モードの場合や（ｉｉ）双方向印刷で光沢有り印刷モードの場合のように、インク・ジェット・ノズルからＵＶインクを射出した往路（または復路）の直後の復路（または往路）において、往路（または復路）において射出されたＵＶインクが落下した記録紙１００上に第１紫外線ランプ３６（または第２紫外線ランプ３８）によって紫外線が照射されるので、射出されたＵＶインクの飛滴が記録紙１００上の所定の位置に落下すると、その後直ちに紫外線が照射されて硬化してしまうこととならずに、ＵＶインクを用いて粒子感の無い光沢のある印刷結果を得ることができる。
【０１０４】
また、本発明によるインク・ジェット・プリンタ１０においては、第１紫外線ランプ３６ならびに第２紫外線ランプ３８の点灯／消灯を制御することによって、粒子感の無い光沢のある印刷結果と、粒子感があって光沢感のない印刷結果とのいずれかが択一的に得られるようになり、異なる質感の印刷結果を得ることができる。
【０１０５】
なお、上記した実施の形態は、以下の（１）乃至（６）に説明するように変形してもよい。
【０１０６】
（１）上記した実施の形態においては、第１紫外線ランプ３６ならびに第２紫外線ランプ３８の点灯／消灯の制御は、単方向印刷で光沢無し印刷モードの場合には、単方向印刷で光沢有り印刷モードの場合における処理の制御と正反対な制御とし、双方向印刷で光沢無し印刷モードの場合には、双方向印刷で光沢有り印刷モードの場合における処理の制御と正反対な制御としたが、これに限られるものではないことは勿論である。
【０１０７】
例えば、単方向印刷で光沢無し印刷モードの場合ならびに双方向印刷で光沢無し印刷モードの場合には、第１紫外線ランプ３６ならびに第２紫外線ランプ３８をいずれも、印刷中は常時点灯するようにしてもよい。このようにすると、第１紫外線ランプ３６ならびに第２紫外線ランプ３８の点灯／消灯の制御が非常に簡単になる。
【０１０８】
また、単方向印刷で光沢有り印刷モードの場合に、図８（ａ）（ｂ）（ｃ）に示すように往路において行き方向で移動するときにインクを射出して単方向印刷するのとは反対に、復路において帰り方向で移動するときにインクを射出して単方向印刷するならば、第１紫外線ランプ３６は印刷中は常時消灯するように設定し、第２紫外線ランプ３８は印刷中は常時点灯するように設定すればよい。
【０１０９】
（２）上記した実施の形態において、インク・ヘッド３２−１〜３２−６、第１紫外線ランプ３６ならびに第２紫外線ランプ３８を一体的に、走査方向における往復移動の途中において、走査方向の一方の端部や他方の端部において停止させて待機させたり、その移動速度を変更するなどして、インク・ヘッド３２−１〜３２−６から往路（または復路）においてＵＶインクを射出したときから、そのインクの飛滴が落下した記録紙１００上に復路（または往路）において紫外線が照射されるまでの間の所定の時間ｔ（または所定時間ｔ’）が所定の時間以上となるように調節するようにしてもよい。インクの射出から紫外線の照射までの時間がある程度長いほど、光沢感のある高い品質の画質を得ることができる。
【０１１０】
（３）上記した実施の形態においては、６つのインク・ヘッド３２−１〜３２−６を有するようにしたが、これに限られるものではないことは勿論であり、印刷に必要な色彩などの応じてインク・ヘッドの総数を増減させるなど、各種変更を行うようにしてもよい。
【０１１１】
また、上記した実施の形態においては、単方向印刷と双方向印刷とがいずれも可能なようにしたが、これに限られるものではないことは勿論であり、単方向印刷または双方向印刷のいずれか一方のみが可能なように構成し、それに応じて各種構成を変更してもよい。
【０１１２】
例えば、単方向印刷のみ可能な装置とする場合には、第１紫外線ランプ３６と第２紫外線ランプ３８とのいずれか一方のみを配設すればよい。第１紫外線ランプ３６のみを配設した場合には、往路において行き方向で移動するときにインクを射出して単方向印刷すれば粒子感の無い光沢のある印刷結果が得られる。一方、第２紫外線ランプ３８のみを配設した場合には、復路において帰り方向で移動するときにインクを射出して単方向印刷すれば粒子感の無い光沢のある印刷結果が得られる。
【０１１３】
（４）上記した実施の形態においては、光沢有り印刷モードと光沢無し印刷モードのいずれも可能なようにしたが、これに限られるものではないことは勿論であり、粒子感の無い光沢のある印刷結果のみが得られるように構成し、それに応じて各種構成を変更してもよい。
【０１１４】
（５）上記した実施の形態においては、記録紙１００上に紫外線を照射する第１紫外線ランプ３６ならびに第２紫外線ランプ３８とＵＶインクとを用いるようにしたが、これに限られるものではないことは勿論であり、紫外線とは異なる放射線の可視光や電子線あるいはその他の光を照射する手段を用い、媒体上に照射される光によって固化あるいは増粘する性質を有する各種インクを用いるようにしてもよい。
【０１１５】
（６）上記した実施の形態ならびに上記（１）乃至（５）に示す変形例は、適宜に組み合わせるようにしてもよい。
【産業上の利用可能性】
【０１１６】
本発明は、ＵＶインクなどを使用して耐水性や擦過性に優れた印刷物を印刷する印刷装置などにおいて利用することができる。
【図面の簡単な説明】
【０１１７】
【図１】従来のインク・ジェット・プリンタを示す概略構成説明図である。
【図２】図１の要部を拡大的に示した説明図である。
【図３】（ａ）（ｂ）は、従来のインク・ジェット・プリンタにおける印刷の過程を模式的に示す説明図である。
【図４】本発明によるインク・ジェット・プリンタの実施の形態の一例を示す概略構成説明図である。
【図５】図４の要部を拡大的に示した説明図である。
【図６】本発明によるインク・ジェット・プリンタにおける印刷処理の一例を示すフローチャートである。
【図７】単方向印刷で光沢有り印刷モードの場合の動作をまとめて示す表である。
【図８】（ａ）（ｂ）（ｃ）は、単方向印刷で光沢有り印刷モードの場合の印刷の過程を模式的に示す説明図である。
【図９】双方向印刷で光沢有り印刷モードの場合の動作をまとめて示す表である。
【図１０】（ａ）（ｂ）（ｃ）は、双方向印刷で光沢有り印刷モードの場合の印刷の過程を模式的に示す説明図である。
【図１１】（ａ）（ｂ）は、図１０（ａ）（ｂ）（ｃ）に続いて、双方向印刷で光沢有り印刷モードの場合の印刷の過程を模式的に示す説明図である。
【図１２】（ａ）は単方向印刷で光沢無し印刷モードの場合の動作をまとめて示す表であり、（ｂ）は双方向印刷で光沢無し印刷モードの場合の動作をまとめて示す表である。
【図１３】（ａ）（ｂ）は、単方向印刷で光沢無し印刷モードの場合の印刷の過程を模式的に示す説明図である。
【符号の説明】
【０１１８】
１０，１１０      インク・ジェット・プリンタ
１２              基台部材
１４              ベース部材
１６Ｌ、１６Ｒ    側方部材
１８−１，１８−２，１８−３，１８−４，１８−５，１８−６    インク・カートリッジ
２０              インク・チューブ・ガイド
２２              中央壁
２４              ワイヤー
３０              インク・ヘッド・ホルダー
３２−１，３２−２，３２−３，３２−４，３２−５，３２−６    インク・ヘッド
３４              紫外線ランプ
３６              第１紫外線ランプ
３８              第２紫外線ランプ
４０              操作子群
１００              記録紙
２００              マイクロ・コンピューター
【図１】
2005199457.tif 000003
【図２】
2005199457.tif 000004
【図３】
2005199457.tif 000005
【図４】
2005199457.tif 000006
【図５】
2005199457.tif 000007
【図６】
2005199457.tif 000008
【図７】
2005199457.tif 000009
【図８】
2005199457.tif 000010
【図９】
2005199457.tif 000011
【図１０】
2005199457.tif 000012
【図１１】
2005199457.tif 000013
【図１２】
2005199457.tif 000014
【図１３】
2005199457.tif 000015